【手続補正書】
【提出日】平成28年5月18日(2016.5.18)
【手続補正１】
【補正対象書類名】特許請求の範囲
【補正対象項目名】全文
【補正方法】変更
【補正の内容】
【特許請求の範囲】
【請求項１】
切削インサート（１００、１００’、１０１）であって、
すくい面（１０４）、および
上側平面（Ｐ３）を定める上側当接部（１０６）
を含む上面（１０２）と、
前記上側平面（Ｐ３）と第１角度（α）を形成する第１底側平面（Ｐ１）を定める第１底側当接部（１１０）、
前記第１底側平面（Ｐ１）と平行であり前記第１底側平面（Ｐ１）から離間された第２底側平面（Ｐ２）を定める第２底側当接部（１１２）、および
前記第１および第２底側当接部（１１０、１１２）の間に配置されたストッパ当接部（１１４）
を含む底面（１０８）と、
前面（１１８）、後面（１２０）、およびそれらの間に延在する２つのインサート側面（１２２）を含み、前記前面（１１８）が逃げ面（１２４）を有する周囲面（１１６）と、
前記すくい面（１０４）と前記逃げ面（１２４）の交差部に形成された切れ刃（１２６）と
を含み、
前記上側平面（Ｐ３）に対して垂直でありかつ前記上側当接部（１０６）を通過する基準平面（Ｐ５）が、前記第１および第２底側平面（Ｐ１、Ｐ２）と、それぞれ第１および第２交差線（Ｉ１、Ｉ２）で交差し、前記第１および第２交差線（Ｉ１、Ｉ２）がそれぞれ前記第１および第２底側当接部（１１０、１１２）から離間されている
切削インサート（１００、１００’、１０１）。
【請求項２】
前記底面（１０８）および前記インサート側面（１２２）に開口するインサートキー凹部（１２８）をさらに含む、請求項１に記載の切削インサート（１０１）。
【請求項３】
前記インサートキー凹部（１２８）が、円形壁部分（１３１）を有するインサート凹部壁（１２９）を含む、請求項２に記載の切削インサート（１０１）。
【請求項４】
前記第１角度（α）が鋭角である、請求項１に記載の切削インサート（１００、１０１）。
【請求項５】
前記ストッパ当接部がストッパ平面（Ｐ４）を定め、
前記逃げ面（１２４）が、前記ストッパ平面（Ｐ４）と第２角度（θ）を形成する逃げ平面（ＰＲ）を定め、
前記第２角度（θ）が３０°〜７０°の範囲の鋭角である、請求項１に記載の切削インサート（１００、１００’、１０１）。
【請求項６】
前記前面（１１８）が前部高さ寸法（Ｈ）を有し、前記後面（１２０）が後部高さ寸法（ｈ）を有し、前記前部高さ寸法（Ｈ）が前記後部高さ寸法（ｈ）より１．２〜２倍大きい、請求項１に記載の切削インサート（１００、１００’、１０１）。
【請求項７】
前記前面（１１８）が前部高さ寸法（Ｈ）を有し、前記第２底側平面（Ｐ２）がストッパ高さ（Ｑ）だけ前記第１底側平面（Ｐ１）から離間され、前記後部高さ寸法（ｈ）が前記ストッパ高さ（Ｑ）より大きい、請求項１に記載の切削インサート（１００、１００’、１０１）。
【請求項８】
前記上側当接部（１０６）および前記第１および第２底側当接部（１１０、１１２）が、Ｖ字型断面を有する、請求項１に記載の切削インサート（１００、１００’、１０１）。
【請求項９】
前記ストッパ当接部（１１４）がＶ字型断面を有する、請求項１に記載の切削インサート（１００、１００’、１０１）。
【請求項１０】
ホルダブレード（１５２、１５３、１９２）と、前記ホルダブレード（１５２、１５３、１９２）に保持される、請求項１〜９のいずれか一項に記載の切削インサート（１００、１０１、１００’）とを含む切削工具（１５０、１９０）。
【請求項１１】
請求項１０に記載の切削工具（１５０）であって、
前記ホルダブレード（１５２、１５３）が、
上側ジョークランプ面（１５６）を有する上側ジョー（１５４）と、
第１下側ジョークランプ面（１６０）、第２下側ジョークランプ面（１６２）、および前記第１および第２下側ジョークランプ面（１６０、１６２）の間に配置された下側ジョーストッパ面（１６４）を有する下側ジョー（１５８）と、
前記上側ジョー（１５４）と前記下側ジョー（１５８）の間に画定されたインサート受入れポケット（１６６）と、
前記ホルダブレード（１５２、１５３）の側面図において前記インサート受入れポケット（１６６）より下で前記下側ジョー（１５８）に配置されたホルダ通路（１６８）と
を含み、
前記切削インサート（１００、１０１）が前記インサート受入れポケット（１６６）内に弾性的に保持され、その結果、前記上側当接部（１０６）が前記上側ジョークランプ面（１５６）に当接し、前記第１および第２底側当接部（１１０、１１２）がそれぞれ前記下側ジョー第１および第２クランプ面（１６０、１６２）に当接し、前記ストッパ当接部（１１４）が前記下側ジョーストッパ面（１６４）に当接し、それにより前記インサート受入れポケット（１６６）に入る前記切削インサート（１００、１０１）の挿入の範囲を制限する、
切削工具（１５０）。
【請求項１２】
前記ホルダブレード（１５２）がさらに、前記インサート受入れポケット（１６６）の最後端部（１７２）に形成されたポケットキー凹部（１７０）を含む、請求項１１に記載の切削工具（１５０）。
【請求項１３】
前記ホルダブレード（１５３）がさらに、前記第２下側ジョークランプ面（１６２）と前記下側ジョーストッパ面（１６４）の間で前記下側ジョー（１５８）に形成されたポケットキー凹部（１７０）を含む、請求項１１に記載の切削工具（１５０）。
【請求項１４】
前記上側ジョークランプ面（１５６）が上側ジョー平面（Ｐ６）を定め、前記第２下側ジョークランプ面（１６２）が、前記上側ジョー平面（Ｐ６）と第３角度（γ）を形成する下側ジョー平面（Ｐ７）を定める、請求項１１に記載の切削工具（１５０）。
【請求項１５】
前記第３角度（γ）が前記第１角度（α）より小さく、前記インサート受入れポケット（１６６）内で前記切削インサート（１００、１０１）が弾性的に嵌まることを可能にする、請求項１４に記載の切削工具（１５０）。
【請求項１６】
第１キー部材（１７６）および第２キー部材（１７８）を含む切削工具キー（１７４）と組み合わせた請求項１１に記載の切削工具（１５０）であって、前記第１キー部材（１７６）が、前記切削インサート（１００、１０１）に隣接して前記ポケットキー凹部（１７０）に嵌まるように形成され、前記第２キー部材（１７８）が前記ホルダ通路（１６８）に嵌まるように形成される、切削工具（１５０）。
【請求項１７】
前記切削インサート（１０１）が、前記底面（１０８）および前記インサート側面（１２２）に開口するインサートキー凹部（１２８）を含み、
前記第１キー部材（１７６）が前記ポケットキー凹部（１７０）および前記インサートキー凹部（１２８）に同時に嵌まるように形成される、
前記切削工具キー（１７４）と組み合わせた請求項１６に記載の切削工具（１５０）。
【請求項１８】
前記切削工具キー（１７４）が前記切削工具（１５０）に係合された状態の前記切削工具（１５０）の組立位置において、前記第１キー部材（１７６）が前記ポケットキー凹部（１７０）に配置され、前記第２キー部材（１７８）が前記ホルダ通路（１６８）に配置され、
前記切削工具キー（１７４）が前記切削工具（１５０）に係合された状態の前記切削工具（１５０）の部分組立位置において、前記第１キー部材（１７６）が前記ポケットキー凹部（１７０）から離間され、前記第２キー部材（１７８）が前記ホルダ通路（１６８）に配置される、
前記切削工具キー（１７４）と組み合わせた請求項１６に記載の切削工具（１５０）。
【請求項１９】
前記切削工具キー（１７４）が前記切削工具（１５０）に係合された状態の前記切削工具（１５０）の部分組立位置において、前記第１キー部材（１７６）が前記切削インサート（１００）の前記前面（１１８）または前記後面（１２０）に隣接して配置される、請求項１８に記載の切削工具（１５０）。
【請求項２０】
請求項１８に記載の切削工具（１９０）であって、
前記ホルダブレード（１９２）が、
上側ジョークランプ面（１９６）を有する上側ジョー（１９４）と、
第１下側ジョークランプ面（２００）、第２下側ジョークランプ面（２０２）、および前記第１および第２下側ジョークランプ面（２００、２０２）の間に配置された下側ジョーストッパ面（２０４）を有する下側ジョー（１９８）と、
前記上側ジョー（１９４）と前記下側ジョー（１９８）の間に画定されたインサート受入れポケット（２０６）と、
前記インサート受入れポケット（２０６）に開口し、かつ前記インサート受入れポケット（２０６）から延在する解放スロット（２０８）と、
クランプねじ（２１４）を受け入れるための、前記解放スロット（２０８）を通過するクランプボア（２１０）と
を含み、
前記クランプねじ（２１４）が前記クランプボア（２１０）に結合されるとき、前記切削インサート（１００）が前記インサート受入れポケット（２０６）内で弾性的に保持されるまで前記インサート受入れポケット（２０６）が締め付けられ、前記上側当接部（１０６）が前記上側ジョークランプ面（１９６）に当接し、前記第１および第２底側当接部（１１０、１１２）がそれぞれ前記下側ジョー第１および第２クランプ面（２００、２０２）に当接し、および前記ストッパ当接部（１１４）が前記下側ジョーストッパ面（２０４）に当接し、それにより前記インサート受入れポケット（２０６）に入る前記切削インサート（１００）の挿入を制限する、
切削工具（１９０）。